(57)【要約】      （修正有）【課題】ゴルフボールクリーニング装置を衣類に固定するための固定装置を提供する。【解決手段】固定装置１０はゴルフボールクリーニング装置１の背面２に固定されたベース部１３と、ベース部１３からゴルフボールクリーニング装置１の背面２と平行にかつそれから間隔を置いて延びる一対の弾性の間隔を置いた保持脚１４とを持つ。保持脚１４はボタンの上に衣類の部分を持つボタンの挿入と保持のためのスロット１５を形成する。【選択図】  図１
2005058767.tif 000002
【特許請求の範囲】
【請求項１】
ゴルフボールクリーニング装置を衣類に固定するための固定装置であって、ゴルフボールクリーニング装置がボールクリーニング前面と背面を持つものにおいて、前記固定装置が：
ベース、狭い中間部、及び前記ベースから前記中間部により間隔を置かれた拡大ヘッドを持つ布保持ボタン、
前記ゴルフボールクリーニング装置の背面に固定されかつそれから突出するベース部と、前記ベース部からゴルフボールクリーニング装置の背面と略平行にかつそれからある間隔で延びる一対の弾性の間隔を置かれた保持脚を持ち、それらの間にボタン受けスロットを形成するボタン保持部材、
を含み、
前記脚が前記ボタン中間部の上に衣類の部分を持つ前記ボタン中間部の厚さより小さい間隔を置いて離れた外方部を持ち、それにより前記ヘッドと中間部の上の衣類の部分を持つ前記ボタン中間部の前記スロット中への挿入が前記弾性脚を広げさせて前記ボタンと衣類の部分の挿入の便宜を図り、
前記脚が前記外方部より大きい間隔を置いて離れた内部を持ち、それにより前記外方部が前記挿入されたボタンと衣類の部分を前記内部間に弾性的に保持する、
ことを特徴とする固定装置。
【請求項２】
更に前記脚がゴルフボールクリーニング装置の背面に向けて突出する横方向外向きスペーサー部を持ち、ゴルフボールクリーニング装置の背面と係合させて前記脚の横方向内向き部を前記ゴルフボールクリーニング装置の前記背面から間隔を持たせて前記ボタンベースと衣類の部分の前記脚の下への挿入の便宜を図ることを特徴とする請求項１に記載の固定装置。
【請求項３】
更に前記脚の外方端が横方向外向きに張り出しており、前記ボタン中間部のスロット中への挿入の便宜を図ることを特徴とする請求項１に記載の固定装置。
【請求項４】
更に前記脚が前記内部の内方に対向した内向き突出部を形成されており前記ボタンのための停止具を提供することを特徴とする請求項１に記載の固定装置。
【請求項５】
更に前記脚のそれぞれが前記ベース部に隣接して狭部を持ち前記弾性脚の曲がりを容易とし前記脚が広がるための便宜を図り前記ボタン中間部の上に衣類の部分を持つ前記ボタン中間部の挿入を可能とすることを特徴とする請求項１に記載の固定装置。
【請求項６】
更に前記脚が前記停止具の内方に前記ベース部に隣接して狭部を形成されており前記弾性脚の曲がりを容易とし前記脚が広がるための便宜を図り前記ボタン中間部の上に衣類の部分を持つ前記ボタン中間部の挿入を可能とすることを特徴とする請求項４に記載の固定装置。
【請求項７】
更に前記脚の前記間隔を置いて離れた内部が前記脚の前記間隔を置いて離れた外方部の内部の前記スロット内に円形部を形成し、前記ボタンの前記中間部が前記スロットの前記円形部内の保持のために断面が円形であることを特徴とする請求項１に記載の固定装置。
【請求項８】
更に前記ボタン保持部材に取り付けられていないときの前記ボタンの独立した保持のための前記ボタンに取り付けられたひもを特徴とする請求項１に記載の固定装置。
【請求項９】
更に前記ひもの取扱いを容易とするために前記ひもの外方端に取り付けられたノブを特徴とする請求項８に記載の固定装置。
【発明の詳細な説明】
【技術分野】
【０００１】
本発明は一般的にゴルフボールクリーニング装置をゴルファーの衣類に取り付けるためにゴルファーにより使用されるゴルフボールクリーニング装置のための固定装置に関する。
【背景技術】
【０００２】
ゴルフプレイ中、ゴルファーはゴルフボールをストロークしたときそれが悪影響を受けないようにゴルフボールのごみ、草及び他の破片をきれいにしなければならないことが多い。これは特にパッテイング時に重要である。通常機械的ボール洗浄器はティーイング領域に隣接してのみ利用可能であり、ゴルファーがそのボールをきれいにする必要が多いときのフェアウェー上またはパッティンググリーン周りでは利用できない。従って、ゴルファーにとって彼または彼女のスイングまたはプレイに支障をきたさない彼または彼女自身の個人用ゴルフボールクリーナーを持ち運びかつ着用できることが望ましい。従って、容易にかつ損傷なしにゴルフボールクリーニング装置をゴルファーに取り付けるための固定装置のような手段に対する要求がある。従って本発明の目的はかかる固定装置を提供することである。
【発明の開示】
【０００３】
基本的に、本発明によるゴルフボールクリーニング装置を衣類に固定するための固定装置はボールクリーニング前面を持つゴルフボールクリーニング装置の背面上に形成される。それはゴルフボールクリーニング装置の背面に固定されたベース部を持ちかつ背面から突出するボタン保持部材を持ち、それから一対の弾性の間隔を置かれた保持脚がゴルフボールクリーニング装置の背面と略平行にかつ背面から一定の間隔を置いて延び、それらの間にボタン受けスロットを形成する。ベース、狭い中間部、及びベースから中間部により間隔を置かれた拡大ヘッドを持つ衣類保持ボタンがボタンのヘッドの上の衣類の部分を持ってスロット中に受け入れ可能である。脚はボタン中間部の上に衣類の部分を持つボタン中間部の厚さより小さい間隔を置いて離れた外方部を持ち、それによりヘッドと中間部の上に衣類の部分を持つボタン中間部のスロット中への挿入が弾性脚を広げさせてボタンと衣類の部分の挿入の便宜を図る。脚は外方部より大きい間隔を置いて離れた内部を持ち、それにより外方部は内部間に挿入されたボタンと衣類の部分を弾性的に保持し、それによりゴルフボールクリーニング装置をゴルファーの衣類に取り付ける。
【０００４】
本発明の好適実施例において、固定装置脚はゴルフボールクリーニング装置の背面に向けて突出する横方向外向きスペーサー部を持ち、ゴルフボールクリーニング装置の背面と係合させて脚の横方向内向き部をゴルフボールクリーニング装置の背面から間隔を保たせてボタンベースと衣類の部分の脚の横方向内向き部の下への挿入の便宜を図る。脚の外方端は横方向外向きに張り出しておりボタンのスロット中への挿入の便宜を図る。脚は内部の内方に対向した内向き突出部を形成されており挿入されたボタンのための停止具を提供し、脚はベース部に隣接して狭部を持ち弾性脚の曲がりを容易にして脚が広がるための便宜を図ってボタン中間部の上に衣類の部分を持つボタン中間部の挿入を可能とする。脚の内部はスロット内に円形部を形成し、ボタンの中間部はスロットの円形部内に保持されるために断面が円形である。好ましくは脚に取り付けられていないときのボタンの独立保持のためにひもがボタンに取り付けられており、かつノブがひもの外方端に取り付けられておりひもの取扱いを容易とする。
【０００５】
本発明の固定装置と共に使用するための好適ゴルフボールクリーニング装置はここに参照のために組み込まれる米国特許６１４８４６４号及び米国特許６５５００９３号に開示されている。
【０００６】
本発明の更なる応用領域は以下に与えられる詳細な説明から明らかとなるであろう。詳細な説明及び特定の例はこの発明の好適実施例を示すけれども、例示のみの目的のためを意図しており、この発明の範囲を限定する意図はないことは理解されるべきである。
【０００７】
図面の簡略説明
本発明は詳細な説明及び添付図面からより完全に理解されるであろう。図面において：
【０００８】
図１は本発明の好適実施例によるゴルフボールクリーニング装置のための固定装置の透視図であり；
【０００９】
図２は図１の固定装置の正面図であり；
【００１０】
図３は図１の固定装置の側面図であり；
【００１１】
図４は図１の固定装置の端面図であり；
【００１２】
図５は図２の線５−５に沿って取った断面図であり；
【００１３】
図６は図２の線６−６に沿って取った断面図であり；
【００１４】
図７は図２の線７−７に沿って取った断面図であり；
【００１５】
図８は図１の固定装置中にゴルファーのシャツまたはパンツの布と一緒に挿入される好適実施例のボタンの透視図であり；
【００１６】
図９は図８の円形ボタンの正面図であり；
【００１７】
図１０は図９の線１０−１０に沿って取った断面図であり；
【００１８】
図１１はゴルファーの衣類の下の本発明の好適実施例のボタンの透視図であり；
【００１９】
図１２はボタンの上に置かれる前の位置のゴルファーの衣類の部分と一緒の図１の固定装置のボタンの透視図であり；
【００２０】
図１３は挿入前の位置のボタンと衣類と一緒の図１の固定装置の透視図であり；
【００２１】
図１４はボタンと衣類の挿入前の図１の固定装置の透視図であり；
【００２２】
図１５は図１の固定装置の脚間に部分的に挿入されたボタンと衣類の部分の正面図であり；
【００２３】
図１６は図１の固定装置の完全に挿入されたボタンと衣類の部分を示す図１５に似た図であり；
【００２４】
図１７はゴルファーのパンツにゴルフボールクリーニング装置を取り付けている図１の固定装置の透視図であり；そして
【００２５】
図１８は図１の固定装置の脚間に挿入されたボタンと衣類の部分の断面図である。
【発明を実施するための最良の形態】
【００２６】
本発明が今や本発明の好適実施例が示されている添付図面に関して十分に完全に説明されるであろう。しかしこの発明は多くの異なる形で具体化されることができ、ここに記載された実施例に限定されるもとの考えられるべきでない。むしろこの実施例はこの開示が徹底的でかつ完全であり、かつこの発明の範囲を当業者に十分に伝達するであろうように提供される。全ての代替物、改変、及び均等物が添付特許請求の範囲により規定されるこの発明の精神及び範囲内に含まれることを意図していることは理解されるであろう。
【００２７】
本発明の固定装置は図１に見えるように一点鎖線で輪郭表示されたゴルフボールクリーニング装置に取り付けられることができる。ゴルフボールクリーニング装置１は背面２とボールクリーニング前面３を持つ。ゴルフボールクリーニング装置は種々の形を取ることができる。しかし、本発明の固定装置と共に使用するための好適ゴルフボールクリーニング装置はここに参照までに組み込まれる米国特許６１４８４６４号及び米国特許６５５００９３号に開示されている。
【００２８】
本発明の好適実施例の固定装置１０はボタン保持部材１１及びボタン保持部材１１内に取り外し可能に保持されるボタン１２を含む。ボタン保持部材１１はボールクリーニング装置１の背面２に固定されかつ背面２から突出するベース部１３を持つ。一対の弾性の間隔を置かれた保持脚１４がボールクリーニング装置１の背面２と略平行にかつ背面２から一定の間隔でベース部１３から延び、それらの脚間にボタン受けスロット１５を形成する。
【００２９】
ボタン１２はボールクリーニング装置１の背面２からの脚１４の間隔より小さな厚さの丸いベース１６を持つ。ボタン１２のベース１６は円形でスロット１５の幅より直径が大きく、従ってそれはボタンがスロット内に挿入されるときスロット１５内にボタン１２を保持する。ボタン１２は、ボタンベース１６から突出し、かつスロット１５中への強制挿入を可能とする直径を持つ断面が円筒状である中間部１７を持つ。ボタンは中間部１７の末端に形成された拡大ヘッド１８を持つ。ヘッド１８は円形であり、スロット１５の幅より直径が大きい。
【００３０】
弾性の脚１４は衣類２０の部分がボタンヘッド１８と中間部１７の上に置かれるときボタン中間部１７の厚さより小さな間隔を置かれた外方部１９を持つ。従って、ヘッド及び中間部の上に衣類２０の部分を持つボタン中間部１７がスロット１５中に挿入されるとき、弾性の脚１４を挿入に順応して強制的に広げるであろう。
【００３１】
脚１４は脚１４の外方部１９より大きな距離で間隔を置かれた内部２１を持ち、従って脚は挿入されたボタン１２と衣類２０を内部２１間に弾性的に保持する。
【００３２】
脚１４は脚１４の横方向内向き部２３にゴルフボールクリーニング装置１の背面２から間隔を保たせるようにゴルフボールクリーニング装置１の背面２と係合させるためのゴルフボールクリーニング装置１の背面２に向けて突出する横方向外向きスペーサー部２２を持つ。横方向外向きスペーサー部２２はゴルフボールクリーニング装置１の背面２に向けてボタンベース１６の上に衣類２０を持つボタンベース１６の高さより大きなある距離で延び、従って脚１４の横方向内向き部２３がゴルフボールクリーニング装置１の背面２から脚１４の横方向内向き部２３の下にボタンベース１６と衣類２０の挿入を可能とするに十分なある距離で間隔を置かれており、横方向外向きスペーサー部２２はボタンベース１６の直径より大きな間隔を置かれて離れておりその間にボタンベース１６の挿入を可能とする。
【００３３】
脚１４は参照番号２４により示されるように、横方向外向きに張り出した外方端２４を持ち、ボタン中間部１７のスロット１５中への挿入の便宜を図る。脚１４はまたその内部２１の内方に対向した内向き突出部２６を形成されておりボタン１２のスロット１５内への挿入を制限する停止具２７を提供する。脚１４の間隔を置いて離れた内部２１は間隔を置いて離れた外方部１９の内部のスロット１５内に円形部２９を形成し、ボタン１２の中間部１７の上に衣類２０を持つ中間部１７をスロット１５の円形部２９内にきちんと保持する。
【００３４】
脚１４はベース１３と停止具２７との間に狭部２８を形成されており、弾性脚１４の曲がりを容易にして脚が広がるための便宜を図りボタン中間部１７の上に布部２０を持つボタン中間部１７のスロット１５を通してスロット１５の円形部２９中への挿入を可能とする。
【００３５】
ひも３０はボタンベース１６の穴３２内に固定された端部３１を持つ。ひも３０の他端３３はノブ３４に結び付けられて、ひも３０の取扱いを容易とし、このひも３０はボタン１２がボタン保持部材１１に取り付けられていないときボタン１２を独立して保持する役目をする。
【００３６】
ゴルフボールクリーニング装置１をシャツまたはパンツまたはスカートのようなゴルファーの衣類物品に取り付けて使用する際、ボタン１２がまずゴルファーの衣類にゴルファーにより着用されたベルト３５（図１１）周りにひも３０を巻き付けることによりまたはノブ３４をポケット内に置くかまたはそうでなければそれを衣類に取り付けることにより連結される。もし好ましいなら、使用者はひも３０をボタン１２から取り外してそれを使用しないこともできる。
【００３７】
ボタン１２は次いでゴルフボールクリーニング装置１を取り付けることを望む場所の衣類２０の部分の下に置かれる（図１２）。ボタン保持部材１１が次いで掴まれ（図１３）、ボタン１２の上に布を持つボタン１２に隣接して脚１４を置かれる（図１４）。脚１４は次いでボタン１２の中間部１７の上に強制され、それによりボタンはスロット１５中に挿入される。外方端２４の張り出し２５がこの挿入を容易とする。挿入時、ボタン１２の中間部１７は弾性的に離れるように脚１４を曲げるように強制し、ついにはボタン１２の中間部１７の上に衣類２０を持つボタン１２の中間部１７がスロット１５の円形部２９内に受け入れられ、停止具２７に対して保持され（図１６）、この時点で脚１４はそれらの初期の位置に曲がって戻りボタン１２を円形部２９内に保持する。ゴルフボールクリーニング装置１はかくしてゴルフボールをクリーニングするための容易な利用のためにゴルファーの衣類に都合よく取り外し可能に取り付けられる（図１７）。
【００３８】
従って当業者により本発明が広い用途と応用を持つことができることが容易に理解されるであろう。ここに記載されたもの以外の本発明の多くの実施例と適応、並びに多くの改変、変更及び均等物配置が本発明の実体または範囲から逸脱することなく、本発明及びその先の説明から明らかでありまたはそれらにより妥当に示唆されるであろう。従って、本発明がその好適実施例に関して詳細にここに説明されたが、この開示は本発明の例示及び例証としてのみでありかつ単にこの発明の完全で可能な開示を提供する目的のためになされていることは理解されるべきである。先の開示は本発明を限定することを意図しておらずまたはそう解釈されるべきでなくまたはそうでないとしても如何なるかかる他の実施例、適応、改変、変更及び均等物配置を排除するものではない。
【図面の簡単な説明】
【００３９】
【図１】本発明の好適実施例によるゴルフボールクリーニング装置のための固定装置の透視図である。
【図２】図１の固定装置の正面図である。
【図３】図１の固定装置の側面図である。
【図４】図１の固定装置の端面図である。
【図５】図２の線５−５に沿って取った断面図である。
【図６】図２の線６−６に沿って取った断面図である。
【図７】図２の線７−７に沿って取った断面図である。
【図８】図１の固定装置中にゴルファーのシャツまたはパンツの布と一緒に挿入される好適実施例のボタンの透視図である。
【図９】図８の円形ボタンの正面図である。
【図１０】図９の線１０−１０に沿って取った断面図である。
【図１１】ゴルファーの衣類の下の本発明の好適実施例のボタンの透視図である。
【図１２】ボタンの上に置かれる前の位置のゴルファーの衣類の部分と一緒の図１の固定装置のボタンの透視図である。
【図１３】挿入前の位置のボタンと衣類と一緒の図１の固定装置の透視図である。
【図１４】ボタンと衣類の挿入前の図１の固定装置の透視図である。
【図１５】図１の固定装置の脚間に部分的に挿入されたボタンと衣類の部分の正面図である。
【図１６】図１の固定装置の完全に挿入されたボタンと衣類の部分を示す図１５に似た図である。
【図１７】ゴルファーのパンツにゴルフボールクリーニング装置を取り付けている図１の固定装置の透視図である。
【図１８】図１の固定装置の脚間に挿入されたボタンと衣類の部分の断面図である。
【図１】
2005058767.tif 000003
【図２】
2005058767.tif 000004
【図３】
2005058767.tif 000005
【図４】
2005058767.tif 000006
【図５】
2005058767.tif 000007
【図６】
2005058767.tif 000008
【図７】
2005058767.tif 000009
【図８】
2005058767.tif 000010
【図９】
2005058767.tif 000011
【図１０】
2005058767.tif 000012
【図１１】
2005058767.tif 000013
【図１２】
2005058767.tif 000014
【図１３】
2005058767.tif 000015
【図１４】
2005058767.tif 000016
【図１５】
2005058767.tif 000017
【図１６】
2005058767.tif 000018
【図１７】
2005058767.tif 000019
【図１８】
2005058767.tif 000020
【手続補正書】
【提出日】平成16年12月9日(2004.12.9)
【手続補正１】
【補正対象書類名】特許請求の範囲
【補正対象項目名】全文
【補正方法】変更
【補正の内容】
【特許請求の範囲】
【請求項１】
ゴルフボールクリーニング装置を衣類に固定するための固定装置であって、ゴルフボールクリーニング装置がボールクリーニング前面と背面を持つものにおいて、前記固定装置が：
ベース、狭い中間部、及び前記ベースから前記中間部により間隔を置かれた拡大ヘッドを持つ布保持ボタン、
前記ゴルフボールクリーニング装置の背面に固定されかつそれから突出するベース部と、前記ベース部からゴルフボールクリーニング装置の背面と略平行にかつそれからある間隔で延びる一対の弾性の間隔を置かれた保持脚を持ち、それらの間にボタン受けスロットを形成するボタン保持部材、
を含み、
前記脚が前記ボタン中間部の上に衣類の部分を持つ前記ボタン中間部の厚さより小さい間隔を置いて離れた外方部を持ち、それにより前記ヘッドと中間部の上の衣類の部分を持つ前記ボタン中間部の前記スロット中への挿入が前記弾性脚を広げさせて前記ボタンと衣類の部分の挿入の便宜を図り、
前記脚が前記外方部より大きい間隔を置いて離れた内部を持ち、それにより前記外方部が前記挿入されたボタンと衣類の部分を前記内部間に弾性的に保持する、
ことを特徴とする固定装置。
【請求項２】
更に前記脚がゴルフボールクリーニング装置の背面に向けて突出する横方向外向きスペーサー部を持ち、ゴルフボールクリーニング装置の背面と係合させて前記脚の横方向内向き部を前記ゴルフボールクリーニング装置の前記背面から間隔を持たせて前記ボタンベースと衣類の部分の前記脚の下への挿入の便宜を図ることを特徴とする請求項１に記載の固定装置。
【請求項３】
更に前記脚の外方端が横方向外向きに張り出しており、前記ボタン中間部のスロット中への挿入の便宜を図ることを特徴とする請求項１に記載の固定装置。
【請求項４】
更に前記脚が前記内部の内方に対向した内向き突出部を形成されており前記ボタンのための停止具を提供することを特徴とする請求項１に記載の固定装置。
【請求項５】
更に前記脚のそれぞれが前記ベース部に隣接して狭部を持ち前記弾性脚の曲がりを容易とし前記脚が広がるための便宜を図り前記ボタン中間部の上に衣類の部分を持つ前記ボタン中間部の挿入を可能とすることを特徴とする請求項１に記載の固定装置。
【請求項６】
更に前記脚が前記停止具の内方に前記ベース部に隣接して狭部を形成されており前記弾性脚の曲がりを容易とし前記脚が広がるための便宜を図り前記ボタン中間部の上に衣類の部分を持つ前記ボタン中間部の挿入を可能とすることを特徴とする請求項４に記載の固定装置。
【請求項７】
更に前記脚の前記間隔を置いて離れた内部が前記脚の前記間隔を置いて離れた外方部の内部の前記スロット内に円形部を形成し、前記ボタンの前記中間部が前記スロットの前記円形部内の保持のために断面が円形であることを特徴とする請求項１に記載の固定装置。
【請求項８】
更に前記ボタン保持部材に取り付けられていないときの前記ボタンの独立した保持のための前記ボタンに取り付けられたひもを特徴とする請求項１に記載の固定装置。
【請求項９】
更に前記ひもの取扱いを容易とするために前記ひもの外方端に取り付けられたノブを特徴とする請求項８に記載の固定装置。
【請求項１０】
装置を衣類に固定するための固定装置であって、前記固定装置が：
ベース、狭い中間部、及び前記ベースから前記中間部により間隔を置かれた拡大ヘッドを持つ布保持ボタン、
前記装置に固定されかつそれから突出するベース部と、前記ベース部から、装置からある間隔で延びる一対の弾性の間隔を置かれた保持脚を持ち、それらの間にボタン受けスロットを形成するボタン保持部材、
を含み、
前記脚が前記ボタン中間部の上に衣類の部分を持つ前記ボタン中間部の厚さより小さい間隔を置いて離れた外方部を持ち、それにより前記ヘッドと中間部の上の衣類の部分を持つ前記ボタン中間部の前記スロット中への挿入が前記弾性脚を広げさせて前記ボタンと衣類の部分の挿入の便宜を図り、
前記脚が前記外方部より大きい間隔を置いて離れた内部を持ち、それにより前記外方部が前記挿入されたボタンと衣類の部分を前記内部間に弾性的に保持する、
ことを特徴とする固定装置。
【請求項１１】
更に前記脚が装置に向けて突出する横方向外向きスペーサー部を持ち、装置と係合させて前記脚の横方向内向き部を前記装置から間隔を持たせて前記ボタンベースと衣類の部分の前記脚の下への挿入の便宜を図ることを特徴とする請求項１０に記載の固定装置。
【請求項１２】
更に前記脚の外方端が横方向外向きに張り出しており、前記ボタン中間部のスロット中への挿入の便宜を図ることを特徴とする請求項１０に記載の固定装置。
【請求項１３】
更に前記脚が前記内部の内方に対向した内向き突出部を形成されており前記ボタンのための停止具を提供することを特徴とする請求項１０に記載の固定装置。
【請求項１４】
更に前記脚のそれぞれが前記ベース部に隣接して狭部を持ち前記弾性脚の曲がりを容易とし前記脚が広がるための便宜を図り前記ボタン中間部の上に衣類の部分を持つ前記ボタン中間部の挿入を可能とすることを特徴とする請求項１０に記載の固定装置。
【請求項１５】
更に前記脚が前記停止具の内方に前記ベース部に隣接して狭部を形成されており前記弾性脚の曲がりを容易とし前記脚が広がるための便宜を図り前記ボタン中間部の上に衣類の部分を持つ前記ボタン中間部の挿入を可能とすることを特徴とする請求項１３に記載の固定装置。
【請求項１６】
更に前記脚の前記間隔を置いて離れた内部が前記脚の前記間隔を置いて離れた外方部の内部の前記スロット内に円形部を形成し、前記ボタンの前記中間部が前記スロットの前記円形部内の保持のために断面が円形であることを特徴とする請求項１０に記載の固定装置。
【請求項１７】
更に前記ボタン保持部材に取り付けられていないときの前記ボタンの独立した保持のための前記ボタンに取り付けられたひもを特徴とする請求項１０に記載の固定装置。
【請求項１８】
更に前記ひもの取扱いを容易とするために前記ひもの外方端に取り付けられたノブを特徴とする請求項１７に記載の固定装置。
【外国語明細書】
2005058767.tif 000021
2005058767.tif 000022
2005058767.tif 000023
2005058767.tif 000024
2005058767.tif 000025
2005058767.tif 000026
2005058767.tif 000027
2005058767.tif 000028
2005058767.tif 000029
2005058767.tif 000030
2005058767.tif 000031
2005058767.tif 000032
2005058767.tif 000033
2005058767.tif 000034
2005058767.tif 000035
2005058767.tif 000036
2005058767.tif 000037
2005058767.tif 000038
2005058767.tif 000039
2005058767.tif 000040
2005058767.tif 000041
2005058767.tif 000042
2005058767.tif 000043
2005058767.tif 000044
2005058767.tif 000045
2005058767.tif 000046
2005058767.tif 000047